(57)【特許請求の範囲】
【請求項１】
電話機を接続する端末装置を収容し、ＡＤＳＬモデム及びスプリッタと、ブロードバンドルータもしくはＰＣの間に設置するＩＰ対応アダプタにおいて、
前記端末装置からの出力を監視し、当該端末装置に接続された前記電話機からの接続要求の場合には伝送路を前記スプリッタ側に接続し、当該端末装置からの接続要求の場合は伝送路を本装置内部に接続する切替手段と、
前記ＡＤＳＬモデムを介したＩＰ網と前記ブロードバンドルータもしくはＰＣの間の通信プロトコルをモニタリングする手段と、
前記通信プロトコルのモニタリングにより状態遷移を把持し通信に必要な情報を取得する手段と、
前記取得した通信に必要な情報を利用し、前記端末装置から受信したアラーム情報等のパケットを生成し、前記ＩＰ網と前記ブロードバンドルータもしくはＰＣ間のセッション上に生成したパケットを送信する手段と、
前記ＩＰ網側から受信したパケットを解析し、ブロードバンドルータもしくはＰＣ宛か本装置宛か振り分ける手段と、
を備えることを特徴とするＩＰ対応アダプタ。
【請求項２】
前記ブロードバンドルータもしくはＰＣが前記ＩＰ網とセッションを張っていない場合に、本装置から前記ＩＰ網へセッション接続を行い、パケットの送信を可能とすることを特徴とする請求項１に記載のＩＰ対応アダプタ。
【発明の詳細な説明】
【０００１】
【発明の属する技術分野】
本発明は、アナログ回線を介してＰＣをＩＰ網に接続したシステムにおいて、ＡＤＳＬ通信中に他の通信装置からのデータ通信を可能としたＩＰ対応アダプタに関する。さらに、本発明は、ＬＡＮ側インタフェースとして１０ＢＡＳＥ−Ｔ／１００ＢＡＳＥ−ＴＸ、ＷＡＮ側インタフェースとして１０ＢＡＳＥ−Ｔ／１００ＢＡＳＥ−ＴＸを収容し、データ通信機能を有するＩＰ対応アダプタに関する。
【０００２】
【従来の技術】
従来、検針装置や警備装置などを収容したデータ通信用アダプタをＩＳＤＮ回線もしくはアナログ回線を介して上位装置に接続するシステムにおいては、各種情報等を送出するためのセッションをデータ通信用アダプタが接続しデータ通信を行っていた(例えば、特許文献1参照)。
【０００３】
【特許文献１】
特開２０００１−２６８２６７号公報
【０００４】
【発明が解決しようとする課題】
本発明は、容易に導入し易く、ＡＤＳＬ環境の利用者がデータ通信しているにも関わらず、利用者の通信セッションを利用してアラーム情報等を送信することを可能とするＩＰ対応アダプタを提供することを目的とする。
【０００５】
【課題を解決するための手段】
本発明のＩＰ対応アダプタは、電話機を接続する端末装置を収容し、ＡＤＳＬモデム及びスプリッタと、ブロードバンドルータもしくはＰＣの間に設置され、前記端末装置からの出力を監視し、当該端末装置に接続された前記電話機からの接続要求の場合には伝送路を前記スプリッタ側に接続し、当該端末装置からの接続要求の場合は伝送路を本装置内部に接続する切替手段と、前記ＡＤＳＬモデム及びスプリッタを介したＩＰ網と前記ブロードバンドルータもしくはＰＣの間の通信プロトコルをモニタリングする手段と、前記通信プロトコルのモニタリングにより状態遷移を把持し通信に必要な情報を取得する手段と、前記取得した通信に必要な情報を利用し、前記端末装置から受信したアラーム情報等のパケットを生成し、前記ＩＰ網と前記ブロードバンドルータもしくはＰＣ間のセッション上に生成したパケットを送信する手段と、前記ＩＰ網側から受信したパケットを解析し、ブロードバンドルータもしくはＰＣ宛か本装置宛か振り分ける手段を備えることを特徴とする。
【０００６】
【発明の実施の形態】
以下、本発明の第一の実施の形態について、図面を用いて詳細に説明する。図１を用いて、本発明の一実施形態の適用が想定されるブロードバンドルータとＩＰ網がＩＰ対応アダプタを介して接続されている通信システムの構成を説明する。
【０００７】
図１に示すように、この通信システムは、ＬＡＮ６１を介して複数のＰＣ（パーソナルコンピュータ６２−１、６２−２）を収容したブロードバンドルータ６およびアラーム情報送出装置３を収容したＩＰ対応アダプタ１を、ＡＤＳＬモデム４１およびスプリッタ４２を介してＩＳＰ（Internet Service Provider）９が接続されたＩＰ網８に接続して構成される。アラーム情報送出装置３は、各種センサを備え、また電話機３２が収容されている。また、ＩＳＰ９は警備監視システムであってよい。
【０００８】
図１において、利用者が使用するＰＣ６２−１、ＰＣ６２−２は、ＬＡＮ６１を介してブロードバンドルータ６に接続されている。ブロードバンドルータ６は、ＩＰ網８とＰＰＰｏＥのセッション接続を行い、ＰＣ６２−１及びＰＣ６２−２のＩＰデータをＰＰＰｏＥ（Point to Point connection over
Ethernet （登録商標））に変換を行う手段である。
【０００９】
ブロードバンドルータ６においてＰＰＰｏＥに変換されたフレームは、ＩＰ対応アダプタ１、ＡＤＳＬモデム４１、スプリッタ４２、ＩＰ網８を介してＩＳＰ９へと伝送される。
【００１０】
ＩＰ対応アダプタ１は、電話機３９が接続されたアラーム情報送出装置３がアナログ回線にて接続され、ブロードバンドルータ６とＡＤＳＬモデム４１の間に設置される。また、ＩＰ対応アダプタ１は、アラーム情報送出装置３がセンサ等により異常を感知したときに出力されるアラーム情報を受信すると、当該アラーム情報をＰＰＰｏＥに変換し、ブロードバンドルータ６が接続しているＰＰＰｏＥセッションを使用して、アラーム情報の送信を行う。
【００１１】
図２に示すように、この通信システムは、ＰＣ６２およびアラーム情報送出装置３を収容したＩＰ対応アダプタ１を、ＡＤＳＬモデム４１およびスプリッタ４２を介してＩＳＰ９が接続されたＩＰ網８に接続して構成される。アラーム情報送出装置３は、各種センサを備え、また、電話機３２が収容されている。
【００１２】
図２において、利用者が使用するＰＣ６２は、ＩＰ網８とＰＰＰｏＥのセッション接続を行い、送信するＩＰデータをＰＰＰｏＥに変換を行う。ＰＰＰｏＥに変換されたフレームは、ＩＰ対応アダプタ１、ＡＤＳＬモデム４１、スプリッタ４２、ＩＰ網８を介しＩＳＰ９へと伝送される。
【００１３】
ＩＰ対応アダプタ１は、電話機３９が接続されたアラーム情報送出装置３がアナログ回線にて接続され、ＰＣ６２とＡＤＳＬモデム４１の間に設置される。また、ＩＰ対応アダプタ１は、アラーム情報送出装置３がセンサ等により異常を感知したときに出力されるアラーム情報を受信すると、ＰＰＰｏＥに変換を行い、ＰＣ６２が接続しているＰＰＰｏＥセッションを使用して、アラーム情報の送信を行う。
【００１４】
図３のブロック図を用いて、ＩＰ対応アダプタ１のブロック構成を説明する。ＩＰ対応アダプタ１は、切替部１１と、ダイヤル情報検出部１２と、データ制御部１３と、ＰＨＹ部１４と、ＰＨＹ部１５と、端子Ｔ１１，Ｔ１２、Ｔ１３，Ｔ１４を有して構成される。
【００１５】
データ制御部１３は、ルータ側データ受信処理部１３０と、第１のモニタリング処理部１３１と、モデム側データ送信処理部１３２と、モデム側データ受信処理部１３３と、第２のモニタリング処理部１３４と、パケット振り分け部１３５と、ルータ側データ送信処理部１３６と、セッション管理部１３７と、アラーム情報制御部１３８と、プロトコル変換部１３９とを有して構成される。
【００１６】
切替部１１は、端子Ｔ１１を経由してアラーム情報送出装置３と接続され、アラーム情報送出装置３からの出力を監視して、端子Ｔ１３を経由したスプリッタ４２側またはダイヤル情報検出部１２側に信号伝送路を切り替える手段である。切替部１１は、アラーム情報送出装置３を経由した電話機３９の接続要求をスプリッタ４１側に切り替え、アラーム情報送出装置３を経由した警備端末装置３１からの接続要求をダイヤル情報検出部１２側へ切り替える。
【００１７】
ダイヤル情報検出部１２は、アラーム情報送出装置３から送られてきた警備端末装置３１からのアラーム情報からセッション接続用のダイヤル情報を検出する手段である。
【００１８】
データ制御部１３は、ＰＨＹ部１４またはＰＨＹ部１５から受信したパケットをモニタリングし、通信プロトコルの状態遷移を把握し通信に必要な情報の取得を行う処理と、取得した通信に必要な情報を利用しアラーム情報送出装置３からのアラーム情報等をＩＰプロトコルへカプセル化しパケット生成する処理と、通信プロトコルのセッション上へ生成したパケットを送信する処理と、ＰＨＹ部１５から受信したパケットを解析しブロードバンドルータ６宛かアラーム情報送出装置３宛てか振り分ける処理と、通信プロトコルのセッションが張られていない場合に本装置からセッション接続を行う処理を行う手段である。
【００１９】
ＰＨＹ部１４は、端子Ｔ１２を経由してブロードバンドルータ６と接続され、１０ＢＡＳＥ−Ｔ／１００ＢＡＳＥ−ＴＸの物理層変換を行う手段である。
【００２０】
ＰＨＹ部１５は、端子Ｔ１４を経由してＡＤＳＬモデム４１と接続され、１０ＢＡＳＥ−Ｔ／１００ＢＡＳＥ−ＴＸの物理層変換を行う手段である。
【００２１】
ルータ側データ受信処理部１３０は、ＰＨＹ部１４を経由したブロードバンドルータ６からのデータを受信処理する手段である。
【００２２】
第１のモニタリング処理部１３１は、ルータ側データ受信処理部１３０からの送出データを監視し、断を検出するとセッションを中止する処理を行なう手段である。
【００２３】
モデム側データ送信処理部１３２は、プロトコル変換部１３９からの送出データまたは第１のモニタリング処理部からの送出データを、ＰＨＹ部１５を経由してＡＤＳＬモデム４１へ送出する手段である。
【００２４】
モデム側データ受信処理部１３３は、ＰＨＹ部１５からのデータを受信処理する手段である。
【００２５】
第２のモニタリング処理部１３４は、モデム側データ受信装置１３３からのデータを監視し、断を検出するとセッションを中止する処理を行なう手段である。
【００２６】
パケット振り分け部１３５は、第２のモニタリング処理部１３４からの受信データを監視し、パケットのヘッダに記述された送信元アドレスによって、受信したデータをルータ側データ送信処理部１３６またはプロトコル変換部１３９へ振り分ける手段である。
【００２７】
ルータ側データ送信処理部１３６は、パケット振り分け部１３５から送られてきたデータを、ＰＨＹ部１４を経由してブロードバンドルータ６へ送信する処理を実行する手段である。
【００２８】
セッション管理部１３７は、ルータ側データ受信処理部１３０からの送出データにＭＡＣアドレスやセッションＩＤ、グローバルアドレスを取りつける処理を行なう手段である。また、セッション管理部１３７は、モデム側データ受信処理部１３３からの受信データにＭＡＣアドレスやセッションＩＤ、グローバルアドレスを取りつける処理を行なう手段である。さらに、セッション管理部１３７は、ＰＡＤＩなどを自律で出力しセッション確立を実行する手段である。
【００２９】
アラーム情報制御部１３８は、データの蓄積を行なう手段である。
【００３０】
プロトコル変換部１３９は、セッション管理部１３７で管理しているセッション情報を本にプロトコル変換する手段である。さらに、プロトコル変換部１３９は、送出データまたは受信データに警備端末装置３１のグローバルアドレスを付加する手段である。
【００３１】
次に、請求項１に示される一実施形態について図１及び図４、図５を用いて詳細に説明する。図４は、ブロードバンドルータ６、ＩＰ網８間で、ＩＰ対応アダプタ１がパケットのモニタリングを行い、通信プロトコルの状態遷移を把握し通信に必要な情報の取得を行う動作シーケンスを表したものである。
【００３２】
ブロードバンドルータ６は、データ通信を行うためＩＰ網８と先ずＰＰＰｏＥのセッション接続を行う。ブロードバンドルータ６がサーバを探すためのＰＡＤＩをＩＰ対応アダプタ１に送信する（Ｓ１）。ＩＰ対応アダプタ１は、ＰＰＰｏＥのセッション接続開始を認識し、ＩＰ網８へＰＡＤＩを送信する（Ｓ２）。ＩＰ網８は、ＩＰ対応アダプタ１からのＰＡＤＩに応答してサーバの存在を示すＰＡＤＯを返信する（Ｓ３）。ＩＰ対応アダプタ１は、ＰＰＰｏＥのサーバからの応答を認識し、ブロードバンドルータ６へＰＡＤＯを送信する（Ｓ４）。
【００３３】
ブロードバンドルータ６は、ＰＰＰｏＥ接続に必要な情報をサーバへ要求するためのＰＡＤＲをＩＰ対応アダプタ１へ送信する（Ｓ５）。ＩＰ対応アダプタ１は、ＰＰＰｏＥの情報要求を認識し、ＩＰ網８へＰＡＤＲを送信する（Ｓ６）。
【００３４】
ＩＰ網８は、ＰＡＤＲに応答してＰＰＰｏＥ接続に必要な情報をＰＡＤＳにてＩＰ対応アダプタ１へ通知する（Ｓ７）。
【００３５】
ＩＰ対応アダプタ１は、ＩＰ網８から受信したＰＡＤＳからサーバのＭＡＣアドレスとセッションＩＤを取得し（Ｓ８）、ブロードバンドルータ６へＰＡＤＳを送信する（Ｓ９）。
【００３６】
次に、ブロードバンドルータ６は、ＰＰＰ（Point to Point Protocol）のセッションを接続するためのＬＣＰ  Configure−RequestをＩＰ対応アダプタ１に送信する（Ｓ１０）。ＩＰ対応アダプタ１は、ＰＰＰのセッション接続開始を認識し、ＩＰ網８へＬＣＰ  Configure−Requestを送信する（S１１）。
【００３７】
ＩＰ網８は、ＩＰ対応アダプタ１へＬＣＰ  Configure−Requestに応答したＰＰＰのセッション接続開始応答のＬＣＰ  Configure−Ackを送信する（Ｓ１２）とともに、ＩＰ網８からのＰＰＰのセッション接続開始を示すＬＣＰ  Configure−Requestを送信する（Ｓ１４）。
【００３８】
ＩＰ対応アダプタ１は、ＩＰ網８からのＰＰＰのセッション接続開始応答と接続開始を認識し、ブロードバンドルータ６へＬＣＰ  Configure−Ackを送信する（Ｓ１３）とともに、ＬＣＰ  Configure−Requestを送信する（Ｓ１５）。
【００３９】
ブロードバンドルータ６はＩＰ網８からのＰＰＰのセッション接続開始応答と接続開始を認識し、ＬＣＰ  Configure‐AckをＩＰ対応アダプタ１に送信する（Ｓ１６）。ＩＰ対応アダプタ１は、ＰＰＰのセッション接続開始応答を認識し、ＩＰ網８へＬＣＰ  Configure‐Ackを送信する（Ｓ１７）。
【００４０】
ＩＰ網８は、ＰＰＰのセッション接続開始応答を認識し、次に、ＩＰのセッションを接続するためのＩＰＣＰ  Configure‐RequestをＩＰ対応アダプタ１へ送信する（Ｓ１８）。ＩＰ対応アダプタ１は、ＩＰのセッション接続開始を認識し、ブロードバンドルータ６へＩＰＣＰ  Configure‐Requestを送信する（Ｓ１９）。
【００４１】
ブローバンドルータ６は、ＩＰＣＰ  Configure‐Requestに応答してＩＰ対応アダプタ１へＩＰのセッション接続開始応答のＩＰＣＰ  Configure‐Ack（Ｓ２０）を送信するとともに、ＩＰアドレス割り当て要求を付加したＩＰのセッション接続開始を示すＩＰＣＰ  Configure‐Requestを送信する（Ｓ２２）。ＩＰ対応アダプタ１は、ブロードバンドルータ６からのＩＰのセッション接続開始応答と接続開始を認識し、ＩＰ網８へＩＰＣＰ  Configure‐Ackを送信する（Ｓ２１）とともにＩＰＣＰ  Configure‐Requestを送信する（Ｓ２３）。
【００４２】
ＩＰ網８は、ＩＰＣＰ  Configure-AckでＩＰのセッション接続開始応答を認識し、ＩＰアドレス割り当て要求を付加されたＩＰＣＰ  Configure-Requestに対しＩＰアドレスを割り当てＩＰＣＰ  Configure-Nakを返信する（Ｓ２４）。
【００４３】
ＩＰ対応アダプタ１は、ＩＰ網８からのＩＰアドレスの割り当てを認識し、ブロードバンドルータ６へＩＰＣＰ  Configure-Nakを送信する（Ｓ２５）。
【００４４】
ブロードバンドルータ６は、割り当てられたＩＰアドレスを付加し再度ＩＰのセッション接続開始を示すＩＰＣＰ  Configure-RequestをＩＰ対応アダプタ１へ送信する（Ｓ２６）。
【００４５】
ＩＰ対応アダプタ１は、ブロードバンドルータ６からのＩＰのセッション接続開始を認識し、ＩＰ網８へブロードバンドルータ６のＩＰアドレスが付加されたＩＰＣＰ  Configure-Requestを送信する（Ｓ２７）。
【００４６】
ＩＰ網８は、ＩＰＣＰ  Configure-RequestでＩＰのセッション接続開始を認識し、ＩＰＣＰ  Configure-Ackを返信し（Ｓ２８）セッション接続完了を認識する。
【００４７】
ＩＰ対応アダプタ１は、受信したＩＰＣＰ  Configure-Ackからブロードバンドルータ６のＩＰアドレスを取得し（Ｓ２９）、ブロードバンドルータ６へＩＰＣＰ  Configure-Ackを送信する（Ｓ３０）。
【００４８】
ブロードバンドルータ６は、ＩＰＣＰ  Configure-Ackを受信し、セッション接続完了を認識する。
【００４９】
以上により、ＡＤＳＬ環境の利用者の通信プロトコルをモニタリングし、通信プロトコルの状態遷移を把握し、通信に必要な情報を取得することができる。また、ＩＰ対応アダプタ１は、通信プロトコルをモニタリングし、状態遷移を把握して通信に必要な情報を取得しているので、ＩＰ対応アダプタ１に対するセッション接続情報設定の入力作業が必要なくなり、利用者の使用環境に容易に導入し易い。
【００５０】
次に、図５を用いて、通話中の振り分け処理を説明する。すなわち、ブロードバンドルータ６とＩＰ網８間での、ＩＰ対応アダプタ１が通信プロトコルをモニタリングした結果取得した情報を利用してアラーム情報等のパケットを生成し、ＰＰＰｏＥのセッション上に送信する動作シーケンスと、ＩＰ網８から受信したパケットを解析してブロードバンドルータ６宛かＩＰ対応アダプタ１宛かを振り分ける動作シーケンスを説明する。
【００５１】
ＰＰＰｏＥのセッションが接続されＩＰ通信中（Ｓ４０）に、アラーム情報送出装置３からアラーム情報送出要求が発生したすると（Ｓ４１）、ＩＰ対応アダプタ１は、通信プロトコルのモニタリングを行い取得した情報（ＩＰ網のサーバのＭＡＣアドレス、セッションＩＤ、ブロードバンドルータのＩＰアドレス）からＰＰＰｏＥのパケットを生成し（Ｓ４２）、ＰＰＰｏＥデータとしてＩＰ網８へ送信する（Ｓ４３）。
【００５２】
また、ＩＰ通信中（Ｓ４０）にブロードバンドルータ６からＰＰＰｏＥデータを受信すると（Ｓ４４）、ＩＰ対応アダプタ１は、ＰＰＰｏＥデータをそのままＩＰ網へ（Ｓ４６）。
【００５３】
ＩＰ網８からＰＰＰｏＥデータを受信すると（Ｓ４７）、ＩＰ対応アダプタ１は、受信データの送信元ＩＰアドレスを判断し（Ｓ４８）、アラーム情報送出先のＩＰアドレスであれば、ＩＰ対応アダプタ１が取得したアラーム情報送出装置３へ情報を送信する（Ｓ４９）。
【００５４】
また、ＩＰ網８からＰＰＰｏＥデータを受信すると（Ｓ５０）、受信したＰＰＰｏＥデータの送信元ＩＰアドレスを判断し（Ｓ５１）、アラーム情報送出先のＩＰアドレスでなければ、ブロードバンドルータ６へＰＰＰｏＥデータを送信する（Ｓ５２）。
【００５５】
以上により、通信プロトコルをモニタリングすることにより取得した情報を利用しアラーム情報等のパケットを生成し、ＰＰＰｏＥのセッション上に生成したパケットを送信することができる。また、ＩＰ網８から受信したパケットを解析し、ブロードバンドルータ６宛かＩＰ対応アダプタ１宛かを振り分けることができる。
【００５６】
次に、本発明の第２の実施形態について、図１及び図６を用いて詳細に説明する。図６は、ブロードバンドルータ６とＩＰ網８間でＰＰＰｏＥのセッションが接続されていない場合の、アラーム情報送出を行うためのＰＰＰｏＥセッション接続を行う動作シーケンスを表したものである。
【００５７】
ＰＰＰｏＥのセッションが接続されブロードバンドルータ６とＩＰ網８の間でＩＰ通信中Ｓ６０に、ブロードバンドルータ６からＰＰＰｏＥセッションを切断するための切断要求ＰＡＤＴを受信すると（Ｓ６１）、ＩＰ対応アダプタ１は、ＰＰＰｏＥセッションの切断を認識し、ＩＰ網８にＰＡＤＴを送信する（Ｓ６２）。
【００５８】
また、ＰＡＤＴを受信したＩＰ網８からも同様に、ＰＰＰｏＥセッションの切断するためＰＡＤＴをＩＰ対応アダプタ１へ送信する（Ｓ６３）。ＩＰ対応アダプタは、ＰＡＤＴを受信したブロードンバンドルータ３とＩＰ網８間のＰＰＰｏＥセッションが消滅したことを認識し（Ｓ６４）、ＰＡＤＴをブロードバンドルータ６へ送信する（Ｓ６５）。
【００５９】
ブロードバンドルータ６とＩＰ網８間のＰＰＰｏＥセッションが消滅している状態で、アラーム情報送出装置３がＰ対応アダプタ１へアラーム情報を送信すると（Ｓ６６）、ＩＰ対応アダプタ１は、アラーム情報を送信するためにＰＰＰｏＥのセッション接続を開始し（Ｓ６７）サーバを探すためのＰＡＤＩをＩＰ網８に送信する（Ｓ６８）。
【００６０】
ＩＰ網８は、ＰＡＤＩ１１７に対応して対しサーバの存在を示すＰＡＤＯを返信する（Ｓ６９）。ＩＰ対応アダプタ１は、ＰＰＰｏＥ接続に必要な情報をサーバへ要求するためのＰＡＤＲをＩＰ網８に送信する（Ｓ７０）。ＩＰ網８は、ＰＡＤＲに対応してＰＰＰｏＥ接続に必要な情報をＰＡＤＳにて通知する（Ｓ７１）。
【００６１】
ＩＰ対応アダプタ１は、受信したＰＡＤＳからサーバのＭＡＣアドレスとセッションＩＤを取得し（Ｓ７１）、ＰＰＰのセッションを接続するためのＬＣＰ  Configure-RequestをＩＰ網８に送信する（Ｓ７２）。
【００６２】
ＩＰ網８は、ＩＰ対応アダプタ１へＬＣＰ  Configure−Requestに応答したＰＰＰのセッション接続開始応答のＬＣＰ  Configure−Ackを送信する（Ｓ７３）とともに、ＩＰ網８からのＰＰＰのセッション接続開始を示すＬＣＰ  Configure−Requestを送信する（Ｓ７４）。
【００６３】
ＩＰ対応アダプタ１は、ＰＰＰのセッション接続開始応答であるＬＣＰ  Configure‐AckをＩＰ網８へ送信する（Ｓ７５）。
【００６４】
ＩＰ網８は、ＰＰＰのセッション接続開始応答を認識し、次に、ＩＰのセッションを接続するためのＩＰＣＰ  Configure‐RequestをＩＰ対応アダプタ１へ送信する（Ｓ７６）。
【００６５】
ＩＰ対応アダプタ１は、ＩＰのセッション接続開始応答と接続開始であるＩＰＣＰ  Configure‐Ackを送信する（Ｓ７７）とともにＩＰＣＰ  Configure‐RequestをＩＰ網８へ送信する（Ｓ７８）。
【００６６】
ＩＰ網８は、ＩＰＣＰ  Configure-AckでＩＰのセッション接続開始応答を認識し、ＩＰアドレス割り当て要求を付加されたＩＰＣＰ  Configure-Requestに対しＩＰアドレスを割り当てＩＰＣＰ  Configure-Nakを返信する（Ｓ７９）。
【００６７】
ＩＰ対応アダプタ１は、ＩＰのセッション接続開始であるＩＰ対応アダプタ１自身のＩＰアドレスが付加されたＩＰＣＰ  Configure-RequestをＩＰ網８へ送信する（Ｓ８０）。
【００６８】
ＩＰ網８は、ＩＰＣＰ  Configure-AckをＩＰ対応アダプタ１に送信する（Ｓ８１）。
【００６９】
ＩＰ対応アダプタ１は、アラーム情報送出装置３のグローバルアドレスを取得し（Ｓ８２）、アラーム情報通信装置３とＩＰ網８との間で通信中となる（Ｓ８３）。
【００７０】
このようにして、ブロードバンドルータ６とＩＰ網８との間にが通信中であるか否かにかかわらず、アラーム情報送出装置３経由で警備端末装置３１とＩＰ網８とのセッション接続を行うことができる。
【００７１】
以上により、セッションを張っていない場合に、ＩＰ対応アダプタ１からＩＰ網８へセッションの接続を行い、パケットの送信を可能とすることができる。
【００７２】
【発明の効果】
本発明を使用することにより、容易に導入し易く、ＡＤＳＬ環境の利用者がデータ通信しているにも関わらず、利用者の通信セッションを利用しアラーム情報等を送信することを可能とするものである。
【図面の簡単な説明】
【図１】本発明にかかるＩＰ対応アダプタを介してＰＣを収容したブロードバンドルータならびにアラーム情報送出装置とＩＰ網が接続されたシステムの構成を説明する図。
【図２】本発明にかかるＩＰ対応アダプタを介してＰＣならびにアラーム情報送出装置とＩＰ網が接続されたシステムの構成を説明する図。
【図３】本発明にかかるＩＰ対応アダプタの構成を説明するブロック図。
【図４】本発明におけるパケットのモニタリングを行い、通信プロトコルの状態遷移を把握し通信に必要な情報の取得を行う動作シーケンス図。
【図５】本発明における通信に必要な情報を利用しアラーム情報等のパケットを生成し、ＰＰＰｏＥのセッション上に送信を行う動作と、ＩＰ網から受信したパケットの解析・振り分けを行う動作シーケンス図。
【図６】本発明におけるＰＰＰｏＥのセッションが接続されていない場合の、アラーム情報送出動作シーケンス図。
【符号の説明】
１  ＩＰ対応アダプタ
１１  切替部
１２  ダイヤル情報検出部
１３  データ制御部
１４，１５  ＰＨＹ部
３  アラーム情報送出装置
３２  電話機
４１  ＡＤＳＬモデム
４２  スプリッタ
６  ブロードバンドルータ
６１  ＬＡＮ
６２  ＰＣ
８  ＩＰ網
９  ＩＳＰ
【図１】
0004140703.tif 000002
【図２】
0004140703.tif 000003
【図３】
0004140703.tif 000004
【図４】
0004140703.tif 000005
【図５】
0004140703.tif 000006
【図６】
0004140703.tif 000007